(57)【要約】【課題】故人の様々な思い出を手軽に再現できる供養壇の提供。【解決手段】供養壇１は、観音開きの扉５を前面の開口部４に備えた筐体２と、筐体２の内部に収納される液晶ディスプレイである画像表示装置３と、画像表示装置３の下方に配設され引出し状に収納可能な台板１８と、メモリーカードのデータを読み書き可能なメモリカードアダプタと、メモリーカードから読み出された動画や静止画のデータに基いて画像表示装置３に映像を表示する制御基板とを具備し、リモコン３９による使用者の操作に応じて故人の映像を画像表示装置３の表示部４０に表示し、スピーカによって音声を再生する。【選択図】図１
0003153799.tif 000002
【実用新案登録請求の範囲】
【請求項１】
開閉自在な扉を有する開口部が設けられた木製の筐体と、
前記開口部を通して視認可能に前記筐体内に配設された表示部と、
該表示部に表示される表示態様を記憶する記憶装置と、
該記憶装置に記憶された前記表示態様の中から、前記表示部に表示される前記表示態様を選択する操作を行う表示態様選択部と、
選択された前記表示態様を前記表示部に表示制御する制御部と
を具備することを特徴とする供養壇。
【請求項２】
前記表示部、前記記憶装置、及び前記制御部は、一体的に構成された画像表示装置であることを特徴とする請求項１に記載の供養壇。
【請求項３】
前記記憶装置は、記憶媒体受容部と、該記憶媒体受容部に対して着脱可能な記憶媒体とによって構成されており、
前記画像表示装置は、筐体内で表示態様を表示する通常位置と前記記憶媒体を着脱可能とする媒体着脱位置との間で変位可能である
ことを特徴とする請求項２に記載の供養壇。
【請求項４】
前記筐体は、壁面に壁掛け可能な係止部を備えることを特徴とする請求項１乃至請求項３のいずれか一つに記載の供養壇。
【考案の詳細な説明】
【技術分野】
【０００１】
本考案は、故人やペットの供養に用いる供養壇に関するものである。
【背景技術】
【０００２】
従来より、宗派を問わず、故人の供養を行うための供養壇が使用されている。供養壇は、内部に収容空間を有し正面に扉を備えた小型の仏壇様の宗教用具であり、収容空間には、本尊、仏具のほか、故人の位牌、遺骨、写真等が収められる。供養壇は、分家した新しい家における「手元供養」として本家の仏壇とは別に簡易な仏壇として使用されたり、あるいはペットの供養に使用されたりして多様に用いられている。
【０００３】
このような供養壇の一種として、内部に照明ボックスを組み入れた「ペット用ミニ仏壇」がある（特許文献１を参照）。特許文献１のペット用ミニ仏壇によれば、前面に配された保護用ガラスと照明ボックスとの間にペットの写真のフィルムを挿入すると、ペットの写真を照明ボックスで照明して明るい雰囲気を醸し出すことができる。
【考案の概要】
【考案が解決しようとする課題】
【０００４】
しかし、特許文献１のペット用ミニ仏壇は、予め内部に配置された写真しか見ることができなかった。写真を替えるためにフィルムを入れ替える際には、保護用ガラスを脱着する必要があって手間がかかり、多数の写真が残されていたとしても特許文献１のペット用ミニ仏壇で使用することは困難であった。
【０００５】
また、特許文献１のペット用ミニ仏壇のように、供養壇は小型のものであっても設置場所を必要とし、集合住宅などにあっては限られた生活空間を圧迫するものであり、供養壇を使用したいと希望しても設置場所が無くて断念せざるを得ない場合があった。
【０００６】
そこで、本考案は、上記の実状に鑑み、故人の様々な思い出を手軽に視覚的に再現でき、かつ、省スペース性が高くて狭い空間でも設置しやすい供養壇の提供を課題とする。
【課題を解決するための手段】
【０００７】
本考案の供養壇は、「開閉自在な扉を有する開口部が設けられた木製の筐体と、
前記開口部を通して視認可能に前記筐体内に配設された表示部と、
該表示部に表示される表示態様を記憶する記憶装置と、
該記憶装置に記憶された前記表示態様の中から、前記表示部に表示される前記表示態様を選択する操作を行う表示態様選択部と、
選択された前記表示態様を前記表示部に表示制御する制御部と
を具備する」ことを特徴とする。
【０００８】
ここで、表示態様とは、例えば、ＪＰＥＧ等のデータ形式による静止画、ＭＰＥＧやＶＯＢなどのデータ形式による動画、及びその他の文字情報等の表示態様を挙げることができる。また、一定の表示態様のデータではなく、コンピュータプログラムによって随時描画された静止画、動画、文字情報等であってもよい。また、記憶装置としては、ハードディスク、フラッシュメモリ、ＳＤカード等の着脱式メモリカード、ＣＤ−ＲＯＭやＤＶＤ−ＲＯＭ等の記録ディスクを使用するものや、基板上に装備されたＲＡＭやＲＯＭ等を使用するものなど、種々のものを例示することができる。
【０００９】
本考案の供養壇によれば、故人の写真等の画像や動画の表示によって仏具や本尊の代用とすることで、収容空間の奥行寸法を小さくすることができ、伝統的な木製の供養壇の外観を有しながら省スペース化を図ることができる。
【００１０】
また、本考案によれば、表示部に表示される表示態様を、表示態様選択部による使用者の選択に応じて種々に切り替え可能であるので、表示される写真等を変更する場合に、写真を実際に入れ替える手間をかけずに手軽に変更することができる。
【００１１】
さらに、写真や各種の仏具等を電子データとして記憶装置に格納しておけるので、それらの物品を実際に供養壇の中に収容して使用する場合と比較してスペースを節約することができる。
【００１２】
また、本考案の供養壇は、「前記表示部、前記記憶装置、及び前記制御部は、一体的に構成された画像表示装置である」ものとしてもよい。
【００１３】
本構成によれば、表示部、記憶装置、及び制御部を一体的に組み合わせた画像表示装置とすることにより、木工品である筐体と電子機器である画像表示装置との組み付け及び分離が容易となり、組立やメンテナンスにおける取り扱いが容易になる。
【００１４】
また、画像表示装置が故障したり経年劣化したりした場合には、画像表示装置として表示部、記憶装置、及び制御部をまとめて簡単に交換することができ、修理が容易である。さらに、長年の使用によって修理が困難となった場合にも、画像表示装置を除去して代わりに本尊等を筐体に収容し一般的な供養壇として再利用することもできる。これにより、電子部品の寿命等に制約されることなく供養壇として長期にわたって使用可能である。
【００１５】
また、本考案の供養壇は、「前記記憶装置は、記憶媒体受容部と、該記憶媒体受容部に対して着脱可能な記憶媒体とによって構成されており、
前記画像表示装置は、筐体内で表示態様を表示する通常位置と前記記憶媒体を着脱可能とする媒体着脱位置との間で変位可能である」ものであってもよい。
【００１６】
ここで、媒体着脱位置は、記憶媒体受容部に対して記憶媒体を着脱可能とする位置であり、画像表示装置の向きを変えたり、画像表示装置を前後方向または左右方向に移動させたりした位置である。媒体着脱位置における画像表示装置は、筐体の中にあってもよいし、筐体の外に出ていてもよい。また、筐体から取り外した状態であってもよい。
【００１７】
本構成によれば、記憶媒体を交換可能であるため、さらに多様な表示態様を表示可能となり、表示態様を追加したり更新したりすることも容易となる。例えば、普段は故人の画像を表示させており、必要に応じて記憶媒体を交換して、読経のための経文のデータを表示させるような使用方法も可能である。
【００１８】
また、通常時は、扉を開けた時に見やすい通常位置に画像表示装置を定位しておいて、記憶媒体を入れ替える時には媒体着脱位置に変位させて記憶媒体を交換しやすくすることができる。また、画像表示装置が媒体着脱位置に変位させると記憶媒体を着脱可能となるため、通常位置においては記憶媒体が着脱可能でなくともよく、記憶媒体受容部を画像表示装置の側面や背面に設けることができる。記憶媒体受容部及び記憶媒体は、通常位置にあるときには目立たない位置や全く隠れてしまう位置となるようにすると、記憶媒体受容部が供養壇の外観に表れることを防いで視覚的にすっきりさせることができる。
【００１９】
また、本考案の供養壇は、「前記筐体は、壁面に壁掛け可能な係止部を備える」ものとすることもできる。
【００２０】
本構成によれば、係止部を利用して壁掛け設置が可能であるので、床面を占有することがなく、邪魔になりにくい場所に供養壇を設置可能とする。一般的な液晶ディスプレイ等の奥行寸法が小さな薄型の画像表示装置を使用すれば、画像表示装置を収容する筐体の奥行寸法を小さくし壁掛け設置に適したものとすることができる。
【考案の効果】
【００２１】
このように、本考案によれば、画像表示装置を筐体に内蔵し、操作に応じて記憶装置に記憶した様々な画像等の表示態様を表示することにより、故人の思い出を手軽に視覚的に再現でき、かつ省スペース性が高い供養壇を提供することができる。
【図面の簡単な説明】
【００２２】
【図１】供養壇の扉を開いた状態を斜め前から示す斜視図である。
【図２】供養壇の平面図及び正面図である。
【図３】供養壇の右側面図及び図２のＡ−Ａ線における断面図である。
【図４】供養壇の電気的構成を示すブロック図である。
【図５】供養壇の異なる実施形態を示す断面図である。
【考案を実施するための形態】
【００２３】
以下、本考案の供養壇の一実施形態である供養壇１について、図１〜図４に基き説明する。図１は、本考案の供養壇１の扉を開いた状態を斜め前方から示す斜視図であり、図２（ａ）は、供養壇１の平面図であり、図２（ｂ）は、供養壇１の正面図であり、図３（ａ）は、供養壇１の右側面図であり、図３（ｂ）は、図２におけるＡ−Ａ間の断面図であり、図４は、供養壇１の電気的構成を示すブロック図である。
【００２４】
図１乃至図３に示すように、供養壇１は、木製の筐体２の中に画像表示装置３を備えている。筐体２の前面には開口部４が設けられており、開口部４にはヒンジ２８で接合され開閉自在な観音開き式の扉５が備えられている。供養壇１の木製部分であって外観に表れる部分は春慶塗の仕上げが施されており、供養壇１は、全体的に春慶塗の伝統工芸的な風合いのある外観を呈する。
【００２５】
筐体２は、上面板７、底面板８、底面板８の前縁及び側縁を覆うように取着される底面縁部材１１及び一対の側面板９からなる長方形枠状を呈する。筐体２の前面側には開口部４が設けられており、背面側には、画像表示装置３を取出し可能な長方形孔状を呈する背面側開口部６が設けられており、筐体２の上部の大部分が前後とも開放されている。上面板７及び底面板８の後端部には、それぞれコ字状に切欠された形状の凹部１２及び凹部１３が設けられている。
【００２６】
筐体２の内部は、上から順に、画面収容部２３、引出収容部２４、及び台板収容部２５の３段に上仕切板２１及び下仕切板２２で仕切られている。画面収容部２３は、正面視長方形を呈する収容空間であり、画像表示装置３は、表示部４０を正面に向けて画面収容部２３の中に配設される。画面収容部２３の中にはさらに額縁状を呈する前面化粧枠３１が配設されており、前面化粧枠３１は、画像表示装置３の前縁に当接して画像表示装置３の位置決めをし、画像表示装置３の枠の部分を隠して表示部４０のみを視認可能とする。また、前面化粧枠３１には、受信部５２を露出させる小孔部２９が設けられている。
【００２７】
また、筐体２の内部には、画像表示装置３が配設箇所に位置決めされたときに画像表示装置３の背面側の上縁にあたる位置に、背面側押さえ部材３２が装着されている。画像表示装置３を筐体２に組み付けるときには、前面化粧枠３１及び背面側押さえ部材３２の間に画像表示装置３の上部を挿入し、画像表示装置３を位置決めし、然る後に固定ネジ３３を上仕切板２１の上面に設けられたネジ孔３５に装着する。固定ネジ３３は、前面化粧枠３１とともに画像表示装置３の下縁を挟持する。このようにして、画像表示装置３は所定の配設箇所に位置決めされて固定される。上面板７及び上仕切板２１の画像表示装置３に当接する面にはいずれもフェルト製の緩衝材３４が取着されており、木製部材に画像表示装置３が当接して傷がつく虞を防いでいる。
【００２８】
引出収容部２４は、上仕切板２１及び下仕切板２２の間に設けられており、引出し１７を出し入れ自在に収容する。引出し１７には、後述するリモコン３９やメモリカード４６を収容しておくことができる。
【００２９】
台板収容部２５は、底面板８と下仕切板２２の間に設けられており、筐体２の前面側に引き出して使用する台板１８を収容する。台板１８は、必要に応じて引き出して、茶碗、花、位牌、遺骨等を上に載置して使用することができる。
【００３０】
扉５は、観音開き扉であり、左扉５ａ及び右扉５ｂからなる。左扉５ａ及び右扉５ｂは、それぞれ蝶番１５で筐体２に対して装着され開閉自在に支持されている。左扉５ａ及び右扉５ｂには開閉時につまむための把手１６が設けられている。
【００３１】
筐体２の後端の左右上部には、壁に設けたフック等の突出部を挿通可能な孔２８が設けられた係止部２７が取着されており、供養壇１をフック等に掛けて設置することができる。
【００３２】
図３及び図４に示すように、画像表示装置３は、背面側に多数の放熱孔（図示しない）が設けられたディスプレイ筐体４１の中に、主制御基板４７、表示制御基板５５、表示部４０及びスピーカ４４を内蔵して構成されている。また、メモリカードアダプタ４５がディスプレイ筐体４１の側面に備えられており、メモリカード４６が着脱可能となっている。画像表示装置３の発する熱は、筐体２の背面側の凹部１２及び凹部１３を通じて空気が対流して筐体２の外に放熱される。
【００３３】
リモコン３９には各種のスイッチ類が配設された操作部５６が備えられている。使用者が操作部５６に行った操作に基き、リモコン３９から、画像表示装置３の前面に備えられた受信部５２に対して赤外線によって信号が送られ、受信部５２が受信した信号が主制御基板４７に伝達される。
【００３４】
電源アダプタ５４は、電源線４３を介して主制御基板４７に設けられた電源コネクタ部４２に接続されている。電源アダプタ５４は交流電流を直流電流に変換する変換器であり、交流電源Ｐの１００Ｖ交流電流を１２Ｖ直流電流に変換して主制御基板４７に供給する。
【００３５】
主制御基板４７は、ＣＰＵ４８、ＲＯＭ４９、ＲＡＭ５０、タイマ／クロック５１を備えており、受信部５２を経由して伝達された操作部５６からの入力に基き、メモリカードアダプタ４５に装着されたメモリカード４６から表示態様に関するデータを読み出し、該データを処理して表示制御基板５５に対して命令を行う。ここで、メモリカードアダプタ４５及びメモリカード４６が、本考案の記憶装置に相当し、メモリカード４６は、本考案の記憶媒体にも相当する。
【００３６】
表示制御基板５５は、主制御基板４７からの命令に従って表示部４０に静止画、動画及び文字情報等の表示態様を表示させる。また、表示制御基板５５は、音声出力に関する命令を受けたときには、スピーカ４４から音声の出力を行う。例えば、メモリカード４６に記録されている画像を、一定時間ごとに切り替えて順番に表示するスライドショー方式や、複数の画像を縮小して並べて表示するインデックス方式の表示を行うことができる。ここで主制御基板４７及び表示制御基板５５が、本発明の制御部に相当する。
【００３７】
主制御基板４７にはタイマ／クロック５１が備えられており、日付及び時間に関する情報を扱うことが可能である。例えば、故人の命日になると表示する画像を切換えたり、チャイムを鳴らしたりして、月に１回の命日などに定期的に故人の思い出を喚起するようにできる。
【００３８】
次に、供養壇１を使用する状況について説明する。供養壇１を設置する前に、図３（ａ）に示すように画像表示装置３を筐体２の外に出し、画像表示装置３の側面に設けられたメモリカードアダプタ４５にメモリカード４６を装着する。メモリカード４６を装着し、電源線４３を電源コネクタ部４２に接続した後に、画像表示装置３を背面側開口部６から筐体２の中に入れ、前面化粧枠３１に画像表示装置３の前面を当接させて位置決めする。そして、背面側押さえ部材３２を画像表示装置３の背面に当接させ、ネジ孔３５に固定ネジ３３を螺着して背面側押さえ部材３２を固定し、前面化粧枠３１と背面側押さえ部材３２とで画像表示装置３を挟持させる。
【００３９】
画像表示装置３を筐体２内に収容した後、供養壇１の後上部に設けられた係止部２７を、壁面のフック等に掛け、電源アダプタ５４を交流電源Ｐに接続すると供養壇１の設置が完了する。
【００４０】
供養壇１を使用する時には、扉５を開放し画像表示装置３の表示部４０を露出させる。画像表示装置３は、使用者によってリモコン３９が使用され、電源のオン・オフを含む各種操作がなされる。また、必要に応じて台板１８を引き出して台板１８上に花や仏具等を飾ることができる。そして、使用者によるリモコン３９の操作に基き、各種の表示態様が表示部４０に表示され、音声データが付属しているときにはスピーカ４４から音声が再生される。ここで、リモコン３９が、本考案の表示態様選択部に相当する。
【００４１】
メモリカード４６を交換する時には、供養壇１をフック等から外し、設置の時とは逆に固定ネジ３３及び背面側押さえ部材３２を取り外して画像表示装置３を筐体２から出し、メモリカードアダプタ４５を露出させて交換作業を行う。
【００４２】
以上のように、本実施形態の供養壇１によれば、使用者の操作に応じて様々な静止画、動画等の表示態様を表示し、故人やペットの思い出を手軽に視覚的に再現可能である。また、内部に収容される仏具や本尊を画像や動画などの表示によって代用することで筐体２の奥行寸法を小さくし、伝統的な春慶塗の木工品の外観を有する供養壇でありながら従来よりも省スペース化を図ることができる。さらに、供養壇１は、係止部２７を利用した壁掛け設置により、壁面を適宜選択して邪魔になりにくい位置に設置可能である。
【００４３】
また、供養壇１によれば、リモコン３９の操作によって表示部に表示される表示態様を種々に切り替えて使用できるので、表示態様の変更を希望する場合には画像表示装置３を筐体２から取り出すことなく手軽に変更することができる。
【００４４】
さらに、故人の写真等は、各種表示態様のデータとしてメモリカード４６に格納されているので、供養壇１で飾るための写真等を保管するスペースを節約することができる。また、パーソナル・コンピュータ等を利用してメモリカード４６にデータを追加することで、供養壇１に表示可能な画像や動画等を随時追加することができる。
【００４５】
また、供養壇１によれば、メモリカード４６を入れ替えることにより、読経のための読本のデータを表示部４０に表示したり、音声を再生することもできる。
【００４６】
また、供養壇１によれば、画像表示装置３は、前面化粧枠３１、背面側押さえ部材３２及び固定ネジ３３によって前後から挟持されて筐体２の内部に着脱容易に固定されている。これにより、供養壇１の組立やメンテナンスにおいて画像表示装置３を取り出して作業できるので、取り扱いが容易になる。しかも、画像表示装置３は、背面側開口部６から出し入れすることが可能であるので、前方の開口部４を小さくし、表示部４０以外のプラスチックや金属の部分を隠し、木製部分との視覚的な違和感を生じさせにくくし、供養壇１の外観に表れる伝統的な風合いを保つことができる。
【００４７】
さらに、故障等により画像表示装置３が使用不能となった場合にも、画像表示装置３のみを筐体２から外して交換したり、画像表示装置３を取り除いて代わりに本尊等を画面収容部２３に収容することも可能であるので、供養壇１を長く使用可能である。
【００４８】
また、画像表示装置３を筐体２に内蔵するため筐体２内の収容スペースが限られるが、台板１８を引き出して花や仏具等を載置できるので、従来と同様に供え物などをすることができる。特に壁掛け設置した場合には床面や机面を利用できないので供え物や仏具を置く場所に困るが、台板１８によって利便性を高めることができる。また、台板１８を筐体２内に収容可能であるので、使わない時には目立たない位置に収めて供養壇１の美観を保つことができる。
【００４９】
また、筐体２と画像表示装置３との間に緩衝材３４が設けられているので、画像表示装置３を出し入れする時にも、画像表示装置３が擦れて筐体２の春慶塗の仕上面に傷がつく虞を防ぐことができる。緩衝材３４としては、本例のようなフェルト等の柔らかい布の他にも、例えば、綿、紙、ゴム、軟質のプラスチックなどが使用可能であるが、筐体２が春慶塗のような漆塗りの場合にも仕上面を傷めにくく長持ちする柔らかい布が好適である。
【００５０】
以上、本考案について好適な実施形態を挙げて説明したが、本考案はこれらの実施形態に限定されるものではなく、以下に示すように、本考案の要旨を逸脱しない範囲において、種々の改良および変更が可能である。
【００５１】
すなわち、上記の実施形態では、画像表示装置３を筐体２の背面側から出し入れ可能としたものを示したが、これに限定されるものではなく、前方の開口部４から出し入れ可能としてもよい。前方から出し入れ可能とすると、メモリカード４６の交換やメンテナンスを容易とすることができる。
【００５２】
また、上記の実施形態では、画像表示装置３を前面化粧枠３１と背面側押さえ部材３２とで前後から挟持して画面収容部２３の中で固定するものを示したが、他の方法で画像表示装置３を支持して筐体２の内部に配設するものであってもよい。
【００５３】
ここで、本考案の他の実施形態であり、供養壇１とは異なる画像表示装置の支持方法を備える供養壇１０１について図５に基き説明する。供養壇１０１は、主に、筐体１０２に画像表示装置１０３を収容して構成されており、供養壇１とは異なり床や台の上に載置されて使用される。供養壇１０１は、画像表示装置１０３を支持する支持アーム１５０を備えており、支持アーム１５０を伸縮させると画像表示装置１０３を前後に移動させることが可能である。これにより、扉１０５を開放した状態で画像表示装置１０３を正面側から出し入れすることができる。支持アーム１５０は、関節部１５２において、アーム部材１５４，１５５の端部が相互に枢着されて構成されている。アーム部材１５４の他端は、関節部１５１において、画像表示装置１０３の背面側に取り付けられる表示部取付金具１５６に枢着されている。アーム部材１５５の他端は、関節部１５３において、筐体１０２の壇板１０８に取り付けられたアーム基部１５７に枢着されている。これにより、支持アーム１５０は、関節部１５１〜１５３において、各部材が相対的に回動し、屈曲及び伸張が自在となっている。通常時に供養壇１０１を使用する時は、図５（ａ）に示すように、画像表示装置１０３は画面収容部１２３に収容された通常位置Ｐ１にある。メモリカード１４６の交換やメンテナンスを行う必要がある場合には、図５（ｂ）に示すように、支持アーム１５０を伸長させて画像表示装置１０３を供養壇１０１の前方の媒体着脱位置Ｐ２に引き出すことができる。前方に引き出すことにより、画像表示装置１０３の側面に設けられたメモリカードアダプタ１４５に対してメモリカード１４６を出し入れすることができる。また、画像表示装置１０３を簡単に前後に動かすことができるので、画面収容部１２３の清掃がしやすい。また、図５（ｂ）に示すように、画像表示装置１０３を通常位置Ｐ１よりも奥の後退位置Ｐ３に後退させると、壇板１０８に茶碗Ｃなどを載せることができる。なお、図示を省略するが、筐体１０２の背面板１０９には放熱用の小孔が複数穿設されている。上記のように供養壇１０１は床や台の上に載置されるが、筐体１０２に係止部を設けて壁掛け可能としてもよい。
【００５４】
また、上記の供養壇１では、画像表示装置３において故人やペットの画像や動画を再生可能としたものを示したが、これに限定されるものではなく、例えば、故人の誕生日、命日等の記念日、生前の言葉、出来事の様子などを記したテキスト情報をメモリカード４６に記憶させておいて、画像表示装置３において閲覧ソフトウェア等によって閲覧可能としてもよい。この場合、テキスト情報の入力にはパーソナルコンピュータを利用してもよいし、画像表示装置３のリモコン３９から入力可能としてもよい。
【００５５】
故人やペットの画像や動画だけでなく、より一般的な画像や動画を再生するようにしてもよく、例えば、リモコン３９の操作によって再生する内容を選択可能としたり、メモリカードの交換によって再生する内容を変えることができるようにして、供養の儀式や手続についての教示映像や音声を再生可能としてもよい。
【００５６】
また、記憶装置としては、メモリカードアダプタ４５及び着脱式のメモリカード４６を備えるものに限定されるものではなく、種々の電子的記憶装置を利用することができる。例えば、ＣＤ−ＲＯＭ、ＤＶＤ−ＲＯＭを利用するものや、内蔵フラッシュメモリやハードディスクを使用するものであってもよい。また、ネットワーク接続を利用してデータの送受信を行うようにしてもよい。
【符号の説明】
【００５７】
１，１０１  供養壇
２，１０２  筐体
３，１０３  画像表示装置
４  開口部
５，１０５  扉
２７  係止部
３９  リモコン（表示態様選択部）
４０  表示部
４５，１４５  メモリカードアダプタ（記憶装置）
４６，１４６  メモリカード（記憶装置、記憶媒体）
４７  主制御基板（制御部）
５５  表示制御基板（制御部）
【先行技術文献】
【特許文献】
【００５８】
【特許文献１】登録実用３１１３８８５号公報
【図１】
0003153799.tif 000003
【図２】
0003153799.tif 000004
【図３】
0003153799.tif 000005
【図４】
0003153799.tif 000006
【図５】
0003153799.tif 000007